(57)【要約】【課題】高起泡性、速泡性（泡立ちの速さ）、泡の持続性（泡もち）、泡質のクリーミーさ、経時安定性に優れる洗浄料を提供する。【解決手段】（ａ）特定のポリアルキルグルコシド誘導体〔例えば、ポリ（ラウリルグルコシドヒドロキシプロピルスルホン酸ナトリウム）、ポリ（ラウリルグルコシドヒドロキシプロピルリン酸ナトリウム）など〕を０．１〜３０質量％と、（ｂ）特定のヒドロキシアルキルエーテルカルボン酸塩を０．１〜３０質量％、好ましくは１質量％以上、含有する洗浄料。【選択図】なし【特許請求の範囲】
【請求項１】
（ａ）下記式（I）および／または下記式（II）で示されるポリアルキルグルコシド誘導体を０．１〜３０質量％と、（ｂ）下記式（III）で示されるヒドロキシアルキルエーテルカルボン酸塩を０．１〜３０質量％含有する洗浄料。
2008208178.tif 000011
2008208178.tif 000012
〔式（I）、（II）中、Ｒ1は飽和または不飽和の平均炭素原子数８〜２０のアルキル基または脂肪酸残基（アシル基）を表し、；ＸはＳＯ3-Ｍ+またはＰＯＨＯ3-Ｍ+（Ｍ+は１価の無機または有機カチオンを表す）を表し；ＹはＳＯ4-Ｍ+またはＰＯ4-Ｍ+（Ｍ+は上記で定義したとおり）を表し；ｎ、ｍはそれぞれ２〜３０の数を表す。〕
2008208178.tif 000013
〔式（III）中、Ｒ2は飽和または不飽和の平均炭素原子数８〜２０のアルキル基を表し；Ｍ+は１価の無機または有機カチオンを表す。〕
【請求項２】
（ｂ）成分の配合量が１質量％以上である、請求項１記載の洗浄料。
【請求項３】
洗浄料中における、（ａ）成分と（ｂ）成分の配合比率が、（ａ）成分：（ｂ）成分＝１０：１〜１：１０（質量比）である、請求項１または２記載の洗浄料。
【発明の詳細な説明】
【技術分野】
【０００１】
本発明は洗浄料に関する。さらに詳しくは、皮膚および毛髪の洗浄において、高起泡性、速泡性（泡立ちの速さ）、泡の持続性（泡もち）に優れるとともに、泡質がクリーミーで、製剤安定性に優れる洗浄料に関する。
【背景技術】
【０００２】
皮膚および毛髪用洗浄料では、その製品特性上、高い起泡性（泡量）、速泡性（泡立ちの速さ）、泡の持続性（泡もち）、泡のクリーミーさは非常に重要な要素である。また、使用中や保管中に時間の経過によって品質が変質したり、性能が劣化し、臭いが生じるといったことにより当初の特性が発揮されなくなるようなことは避けなければならない。
【０００３】
従来より、高起泡性のアニオン性界面活性剤としてヒドロキシアルキルエーテルカルボン酸塩が知られている（例えば、特許文献１参照）。このヒドロキシアルキルエーテルカルボン酸塩は、起泡性、速泡性に優れるが、泡の持続性や泡のクリーミーさの点では必ずしも十分満足いくものでなかった。
【０００４】
一方、ヒドロキシエーテルカルボン酸塩とカチオン性高分子を併用して、毛髪のもつれのほぐれ易さ、滑らかさおよび柔軟性を改善した洗浄用化粧品組成物が提案されている（例えば、特許文献２〜３参照）。ヒドロキシエーテルカルボン酸塩とカチオン性高分子との併用は、使用時の泡の持続性を良好にし、泡質をクリーミーにする。しかし、カチオン性高分子を配合すると速泡性に劣るという問題があった。またカチオン化高分子はしばしば経日でアミン臭を生じることがある。この臭いは非常に嫌われる臭いであり、安定した製剤を調製する上で問題であった。
【０００５】
このような現況下、高起泡性、速泡性（泡立ちの速さ）、泡の持続性（泡もち）、泡質のクリーミーさ、経時安定性のいずれの点においても優れる洗浄料が求められていた。
【０００６】
【特許文献１】特開昭６３−２８０７９８号公報
【特許文献２】特開２０００−２４７８４６号公報
【特許文献３】特開２０００−２４７８４７号公報
【発明の開示】
【発明が解決しようとする課題】
【０００７】
本発明は、上記従来技術の問題点を解決するためになされたものであり、その目的は、高起泡性、速泡性（泡立ちの速さ）、泡の持続性（泡もち）、泡質のクリーミーさ、経時安定性に優れる洗浄料を提供することにある。
【課題を解決するための手段】
【０００８】
上記課題を達成するために本発明は、（ａ）下記式（I）および／または下記式（II）で示されるポリアルキルグルコシド誘導体を０．１〜３０質量％と、（ｂ）下記式（III）で示されるヒドロキシアルキルエーテルカルボン酸塩を０．１〜３０質量％含有する洗浄料を提供する。
【０００９】
2008208178.tif 000002
【００１０】
2008208178.tif 000003
【００１１】
〔式（I）、（II）中、Ｒ1は飽和または不飽和の平均炭素原子数８〜２０のアルキル基または脂肪酸残基（アシル基）を表し、；ＸはＳＯ3-Ｍ+またはＰＯＨＯ3-Ｍ+（Ｍ+は１価の無機または有機カチオンを表す）を表し；ＹはＳＯ4-Ｍ+またはＰＯ4-Ｍ+（Ｍ+は上記で定義したとおり）を表し；ｎ、ｍはそれぞれ２〜３０の数を表す。〕
【００１２】
2008208178.tif 000004
【００１３】
〔式（III）中、Ｒ2は飽和または不飽和の平均炭素原子数８〜２０のアルキル基を表し；Ｍ+は１価の無機または有機カチオンを表す。〕
また本発明は、（ｂ）成分の配合量が１質量％以上である、上記洗浄料を提供する。
【００１４】
また本発明は、洗浄料中における、（ａ）成分と（ｂ）成分の配合比率が、（ａ）成分：（ｂ）成分＝１０：１〜１：１０（質量比）である、上記洗浄料を提供する。
【発明の効果】
【００１５】
本発明により、高起泡性、速泡性（泡立ちの速さ）、泡の持続性（泡もち）、泡質のクリーミーさ、経時安定性に優れる洗浄料が提供される。本発明の洗浄料は皮膚洗浄、頭髪洗浄等に好適に適用される。
【発明を実施するための最良の形態】
【００１６】
以下、本発明について詳述する。
【００１７】
本発明の（ａ）成分は、下記式（I）および／または下記式（II）で示されるポリアルキルグルコシド誘導体である。
【００１８】
2008208178.tif 000005
【００１９】
2008208178.tif 000006
【００２０】
上記式（I）、（II）中、各置換基は以下の意味を示す。
【００２１】
Ｒ1は飽和または不飽和の平均炭素原子数８〜２０の、アルキル基または脂肪酸残基（アシル基）を表す。Ｒ1として、例えばＣ10Ｈ21、Ｃ12Ｈ25、Ｃ14Ｈ29、Ｃ16Ｈ33、Ｃ18Ｈ37、Ｃ20Ｈ41、Ｃ10Ｈ21ＣＯ、Ｃ12Ｈ25ＣＯ、Ｃ14Ｈ29ＣＯ、Ｃ16Ｈ33ＣＯ、Ｃ18Ｈ37ＣＯ、Ｃ20Ｈ41ＣＯ等が挙げられる。
【００２２】
ＸはＳＯ3-Ｍ+またはＰＯＨＯ3-Ｍ+を表す。ここでＭ+は１価の無機または有機カチオン（対イオン）を表す。１価の無機カチオンとしては、例えば、Ｎａ+、Ｋ+等のアルカリ金属イオンや、ＮＨ4+等が挙げられ、１価の有機カチオンとしては、例えばＨ2Ｎ（ＯＣＨ2ＣＨ3）+、Ｎ（ＯＣＨ2ＣＨ3）3+等が挙げられる。ただしこれら例示に限定されるものでない。本発明ではアルカリ金属イオンが好ましい。
【００２３】
ＹはＳＯ4-Ｍ+またはＰＯ4-Ｍ+（Ｍ+は上記で定義したとおり）を表す。
【００２４】
ｎ、ｍは平均重合度であり、それぞれ２〜３０の数を表す。
【００２５】
上記（ａ）成分はポリマー型アニオン界面活性剤であり、アルキルグルコシドをスルホン化、またはリン酸化して得られる誘導体の塩、若しくはそれを１，３−ジクロロ−２−プロパノールまたはエピクロロヒドリンで重合すること等により製造することができる。ただしこの製造方法に限定されるものでない。
【００２６】
（ａ）成分は市販品を用いることができ、例えば上記式（I）に示すポリマーとして、「PolySugaNate 160P」、「PolySugaNate 124P」、「PolySugaNate 100P」（以上、いずれもColonial Chemical社製）等として販売されているポリ（アルキルグルコシドヒドロキシプロピルスルホン酸ナトリウム塩）などが挙げられ、上記式（II）で示すポリマーとして、「PolySugaPhos 1200P」、「PolySugaPhos 1000P」（以上、いずれもColonial Chemical社製）等として販売されているポリ（アルキルグルコシドヒドロキシプロピルリン酸ナトリウム塩）などが挙げられる。ただしこれら例示に限定されるものでない。（ａ）成分は１種または２種以上を用いることができる。
【００２７】
（ａ）成分の配合量は、本発明洗浄料中、０．１〜３０質量％であり、好ましくは１〜２０質量％である。（ａ）成分が０．１質量％未満では泡質のクリーミーさ、泡の持続性が十分でなくなり、一方、３０質量％超では粘度が高くなり使用し難くなる。
【００２８】
本発明に用いる（ｂ）成分は、下記式（III）で示されるヒドロキシアルキルエーテルカルボン酸塩である。
【００２９】
2008208178.tif 000007
【００３０】
上記式（III）中、Ｒ2は飽和または不飽和の平均炭素原子数８〜２０、好ましくは９〜１５、のアルキル基を表す。特にはＲ2が１０（＝ラウリルグルコール酢酸塩）のものが好ましい。
【００３１】
Ｍ+は１価の無機または有機カチオン（対イオン）を表す。１価の無機カチオンとしては、例えば、Ｎａ+、Ｋ+等のアルカリ金属イオンや、ＮＨ4+等が挙げられ、１価の有機カチオンとしては、例えばＨ2Ｎ（ＯＣＨ2ＣＨ3）+、Ｎ（ＯＣＨ2ＣＨ3）3+等が挙げられる。ただしこれら例示に限定されるものでない。本発明ではアルカリ金属イオンが好ましい。
【００３２】
（ｂ）成分はアニオン界面活性剤で、市販品を用いることができ、例えば「ビューライトＳＨＡＡ」（三洋化成工業（株）製。ラウリルグルコール酢酸ナトリウム）等が挙げられる。ただしこの例示に限定されるものでない。（ｂ）成分は１種または２種以上を用いることができる。
【００３３】
（ｂ）成分の配合量は、本発明洗浄料中、０．１〜３０質量％である。配合量下限値は好ましくは１質量％以上、より好ましくは２質量％以上、特に好ましくは３質量％以上である。配合量上限値は好ましくは２０質量％以下である。（ｂ）成分が０．１質量％未満では速泡性、起泡性の十分な効果を得ることができず、一方、３０質量％超ではすすぎに時間がかかるようになり、好ましくない。
【００３４】
本発明では（ａ）成分と（ｂ）成分を（ａ）成分：（ｂ）成分＝１０：１〜１：１０（質量比）の割合で配合するのが好ましく、より好ましくは５：１〜１：５（質量比）である。（ａ）成分、（ｂ）成分を上記配合割合で配合することにより、速泡性、起泡力、泡質のクリーミーさ、泡の持続性をより一層向上させることができる。
【００３５】
本発明の洗浄料には、本発明効果を損なわない範囲において、上記（ａ）成分、（ｂ）成分以外の界面活性剤として、他の界面活性剤を配合することができる。このような界面活性剤としては、高級脂肪酸塩〔例えば、ラウリン酸ナトリウム、パルミチン酸ナトリウムなど〕、高級アルキル硫酸エステル塩〔例えば、ラウリル硫酸ナトリウム、ラウリル硫酸カリウムなど〕、アルキルベンゼンスルホン酸塩〔例えば、リニアドデシルベンセンスルホン酸ナトリウム、リニアドデシルベンゼンスルホン酸トリエタノールアミンなど〕、ポリオキシエチレンアルキル硫酸塩〔例えば、ラウレス（＝ＰＯＥラウリル）硫酸トリエタノールアミン、ラウレス硫酸ナトリウムなど〕、Ｎ−アシルサルコシン酸塩〔例えば、ラウロイルサルコシンナトリウムなど〕、Ｎ−アシルアミノ酸塩〔例えば、Ｎ−ココイルグルタミン酸ナトリウム、Ｎ−ココイルアラニントリエタノールアミン、Ｎ−ラウロイルグルタミン酸モノナトリウム、Ｎ−ステアロイルグルタミン酸ジナトリウム、Ｎ−ミリストイル−Ｌ−グルタミン酸モノナトリウムなど〕、α−オレフィンスルホン酸塩〔例えば、α−オレフィンスルホン酸ナトリウムなど〕、アシルＮ−メチルアミノ酸塩〔例えば、ミリストイルＮ−メチルタウリンナトリウム、ラウロイルＮ−メチルアラニンナトリウムなど〕、ポリオキシエチレンアルキルエーテル酢酸塩〔例えば、ラウレス酢酸ナトリウムなど〕等のアニオン界面活性剤や、ポリオキシエチレンアルキルエーテル〔例えば、ＰＯＥラウリルエーテル（＝ラウレス）、ＰＯＥセチルエーテル（＝セテス）、ＰＯＥステアリルエーテル（＝ステアレス）、ＰＯＥベヘニルエーテル（＝ベヘネス）、ＰＯＥオクチルドデシルエーテル（＝オクチルドデセス）など〕、糖エステル系〔例えば、ショ糖脂肪酸エステル、ウンデシレン酸トレハロースなど〕、糖エーテル系、糖アミド系などのノニオン界面活性剤等が挙げられる。ただしこれら例示に限定されるものでない。
【００３６】
さらに、その他、洗浄料に通常用いられる水等の成分や、他の添加成分を、本発明の効果を損なわない範囲で任意に配合することができる。このような任意添加成分として、例えば、プロピレングリコール、ソルビトール、グリセリン、１，３−ブタンジオール、１，２−ペンタンジオール、ジプロピレングリコール等の保湿剤、高分子系の粘度調整剤、パール化剤、香料、色素、紫外線吸収剤、酸化防止剤、殺菌剤、抗炎症剤、ｐＨ調整剤、防腐剤等が挙げられる。ただしこれら例示に限定されるものでない。
【００３７】
なお本発明洗浄料では、製剤安定性の点から、カチオン性高分子は配合しないのが好ましい。配合する場合は配合量を０．２質量％以下に抑えるのが好ましい。このようなカチオン性高分子としては、ポリアルキレンイミン類（ポリエチレンイミン類など）、ビニルピリジンまたはビニルピリジニウム単位を有するポリマー、ポリアミン類とエピクロロヒドロリンの混合物、第４級ポリウレイン類、カチオン化グアガム、カチオン化ローカストビーンガム、カチオン化タラガム、等が挙げられる。ただしこれら例示に限定されるものでない。
【００３８】
本発明洗浄料は、各配合成分を室温で攪拌混合する等、常法により製造することができる。室温で結晶状等固形のものを配合する場合はすべてを７０℃程度に加熱し、攪拌溶解した後、冷却して製剤を得るのが好ましい。
【００３９】
本発明の洗浄料は、ペースト状、ゲル状、液状、固形状、ムース状等の剤型とすることができる。
【００４０】
本発明洗浄料は、皮膚または毛髪等の身体用の洗浄料として好適に用いられ、具体的には、洗顔料、ボディシャンプー、ベビーシャンプー、シャンプー等として用いられる。ただしこれら例示に限定されるものでない。
【実施例】
【００４１】
本発明について以下に実施例を挙げてさらに詳述するが、本発明はこれによりなんら限定されるものではない。配合量は特記しない限り、その成分が配合される系に対する質量％で示す。
【００４２】
実施例に先立ち、本実施例で用いた各評価の試験方法、評価基準について説明する。
【００４３】
［使用テスト（速泡性、起泡力、泡質のクリーミーさ、泡の持続性）］
各洗浄料について、専門パネル１０名による洗浄を行い、速泡性、起泡力、泡質のクリーミーさ、泡の持続性（泡もち）の各項目について官能評価を行った。評価は、以下に示すように各項目ごとに５段階（１〜５点）の評価点方式により行い、１０名の平均点を算出し、下記判定基準により評価した。
（判定基準）
◎：非常に良好（平均点が４．５点以上）
○：良好（平均点が３．５点以上４．５未満）
△：普通（平均点が２．５点以上３．５点未満）
×：不良（平均点が２．５点未満）
【００４４】
〈速泡性〉
（評価点基準）
５点：泡立ちが速い
４点：泡立ちがやや速い
３点：普通
２点：泡立ちがやや遅い
１点：泡立ちが遅い
【００４５】
〈起泡力〉
（評価点基準）
５点：泡立ちが良い（泡の量が多い）
４点：泡立ちがやや良い（泡の量がやや多い）
３点：普通
２点：泡立ちがやや悪い（泡の量がやや少ない）
１点：泡立ちが悪い（泡の量が少ない）
【００４６】
〈泡質のクリーミーさ〉
（評価点基準）
５点：泡質が良い（クリーミーである）
４点：泡質がやや良い（ややクリーミーである）
３点：普通
２点：泡質がやや悪い（ややクリーミーでない）
１点：泡質が悪い（クリーミーでない）
【００４７】
〈泡の持続性〉
（評価点基準）
５点：泡もちが良い
４点：泡もちがやや良い
３点：普通
２点：泡もちがやや悪い
１点：泡もちが悪い
【００４８】
［安定性（臭いの変化）］
各洗浄料を５０℃で２ヶ月間放置した後の製剤の臭いの変化を評価した。評価は専門パネル１０名により、下記３段階（１、３、５点）の評価点方式により行った。１０名の平均点を算出し、上記使用性で用いた判定基準と同様の基準により評価した。
（評価点基準）
５点：臭い劣化は感じられない
３点：臭い劣化がやや感じられる
１点：臭い劣化が強く感じられる
【００４９】
（実施例１〜５、実施例６〜８、比較例１〜３）
下記表１、２、３に示す組成の洗浄料を調製し、これら洗浄料を用いて上記試験法、評価基準により速泡性、起泡力、泡のクリーミーさ、泡の持続性（泡もち）、安定性（臭いの変化）について評価した。結果をそれぞれ表１、２、３に示す。
【００５０】
なお以下の実施例において、下記製品を用いた。
【００５１】
ヒドロキシアルキルエーテルカルボン酸塩(*1)：  「ビューライトＳＨＡＡ」〔三洋化成工業（株）製。上記式（III）に示す化合物（ただし、式中、Ｒ2＝Ｃ10Ｈ21、Ｍ＝Ｎａ）；
ポリアルキルグルコシド誘導体(*2)：  「PolySugaNate 160P」〔Colonial Chemical社製。上記式（I）で示すポリ（ラウリルグルコシドヒドロキシプロピルスルホン酸ナトリウム）〕；
ポリアルキルグルコシド誘導体(*3)：  「PolySugaPhos 1200P」〔Colonial Chemical社製。上記式（II）で示すポリ（ラウリルグルコシドヒドロキシプロピルリン酸ナトリウム）〕。
【００５２】
【表１】
2008208178.tif 000008
【００５３】
【表２】
2008208178.tif 000009
【００５４】
【表３】
2008208178.tif 000010
【００５５】
表１、２に示す結果から明らかなように、（ａ）成分、（ｂ）成分を所定量含む本発明洗浄料は、速泡性、起泡力、泡のクリーミーさ、泡の持続性、安定性（臭いの変化）のいずれも優れた効果が得られた。
【００５６】
一方、表３に示すように、（ａ）成分、（ｂ）成分のいずれかを欠く洗浄料ではいずれも本願発明効果を得ることができなかった。
【００５７】
以下にさらに処方例（液体洗浄料）を示す。
【００５８】
［実施例９  洗顔料］
（配  合  成  分）                                （質量％）
ヒドロキシアルキルエーテルカルボン酸塩(*1)                １０
ポリアルキルグルコシド誘導体(*2)［式（I）］                 ５
Ｎ−ヤシ油脂肪酸−Ｎ−メチルタウリンナトリウム              ３
イミダゾリン型両性界面活性剤                                ０．２
（「オバゾリン６６２」：東邦化学（株）製）
グリセリン                                                  ８
エリスリトール                                              ２
香料                                                        ０．５
クエン酸                                                    ０．１
クエン酸ナトリウム                                          ０．２
精製水                                                    残余
【００５９】
［実施例１０  洗顔料］
（配  合  成  分）                                （質量％）
ヒドロキシアルキルエーテルカルボン酸塩(*1)                ２０
ポリアルキルグルコシド誘導体(*2)［式（I）］                 ５
アシルグルタミン酸カリウム                                  ３
（「アミソフトＣＫ−２２」；味の素（株）製）
イミダゾリン型両性界面活性剤                                ０．２
（「オバゾリン６６２」；東邦化学（株）製）
ラウリン酸カリウム                                          １
１，３−ブチレングリコール                                  ８
オレンジ油                                                  ０．０１
ラベンダー油                                                ０．０１
クエン酸                                                    ０．１
クエン酸ナトリウム                                          ０．２
精製水                                                    残余
【００６０】
［実施例１１  シャンプー］
（配  合  成  分）                                （質量％）
ヒドロキシアルキルエーテルカルボン酸塩(*1)                １０
ポリアルキルグルコシド誘導体(*3)［式（II）］                ５
ポリオキシエチレンラウリル硫酸ナトリウム                    ３
イミダゾリン型両性界面活性剤                                ０．２
（「オバゾリン６６２」；東邦化学（株）製）
１，３−ブチレングリコール                                  ８
オレンジ油                                                  ０．０１
ラベンダー油                                                ０．０１
クエン酸                                                    ０．１
クエン酸ナトリウム                                          ０．２
精製水                                                    残余
【００６１】
上記実施例９〜１１の洗浄料は、いずれも速泡性、起泡力、泡のクリーミーさ、泡の持続性、安定性に優れるものであった。